(57)【特許請求の範囲】
【請求項１】
水素水製造装置であって、
上部に位置して水を収容する容器と、前記容器の下部に位置し、前記容器に収容された水を電気分解することにより生成された水素を前記容器に収容された水に溶解させて容器の水を水素水に変換させる水素発生部と、前記水素発生部に電源を印加する電源部と、
を備え、
前記水素発生部は、前記容器の下部に結合し、容器に収容された水を水素水に変換させるための水素を生成する水素発生ユニットを備えた水素発生部であり、
前記容器は、上部に形成された先端口部分を遮蔽する蓋を有する水ボトル形状の容器であり、下部に連結面を形成し、該連結面は、前記水素発生部のケースをなすハウジングの上端に形成された結合面と歯合して結合し、
前記ハウジングは、上部および下部がそれぞれ開口し、上部開口面には前記容器の下部を遮蔽する遮断パネルが結合し、前記ハウジングの下部開口面には封止板が結合し、
前記遮断パネルは、下側に水素発生ユニットを備えることを特徴とする携帯型水素水製造装置。
【請求項２】
前記遮断パネルの中央部には容器の水を前記水素発生ユニットに供給するための貫通孔が形成され、貫通孔の内周面には漏水防止用の円形リングが付着され、
前記封止板上に前記水素発生ユニットの作動を制御する制御基板が付着され、前記水素発生ユニットと制御基板に電力を印加するバッテリが装着されることを特徴とする請求項１に記載の携帯型水素水製造装置。
【請求項３】
前記水素発生ユニットは、
隔膜と、前記隔膜の上部に位置した上部電極と前記隔膜の下部に位置した下部電極からなり、前記上部電極の上側に上部カバーが締結し、前記下部電極の下部に下部カバーが締結し、
前記上部電極および下部電極は、中央部分に稠密な間隔で形成された多数の気孔が形成され、
前記上部電極および下部電極の一側には電流入力のための電極端子が突出形成され、正電圧と負電圧がそれぞれ印加される構成を特徴とする請求項１に記載の携帯型水素水製造装置。
【請求項４】
前記蓋の天井面には、液体成分は通過させずに気体成分は通過させる性質の薄膜を付着する構成を有することを特徴とする請求項１に記載の携帯型水素水製造装置。
【発明の詳細な説明】
【技術分野】
【０００１】
本発明は水素水製造装置に係り、より詳しくは、上部に置かれて水を収容する容器、前記容器の下部に位置し、前記容器に収容された水を電気分解することにより生成された水素を前記容器に収容された水に溶解させて容器の水を水素水に変換させる水素発生部、前記水素発生部に電源を印加する電源部を備えて構成される携帯型水素水製造装置に関する。
【０００２】
本発明の携帯型水素水製造装置によると、使用者は時間と場所に捉われずに水素水を便利に飲用することができる。
【背景技術】
【０００３】
一般的に、水素水とは、高い溶存量で水素が溶解されている水を示す。
このような水素水は、溶存する水素によって活性酸素であるヒドロキシルラジカル（ｈｙｄｒｏｘｙｌ  ｒａｄｉｃａｌ）を取り除く抗酸化作用を行うことにより、老化を防ぎ、糖尿病、高血圧、動脈硬化、癌、痴呆の予防をサポートし、肌の美容、ダイエット、疲労回復、性機能の改善、運動能力の向上、免疫力の強化、二日酔い解消に効果があると報告されている。
【０００４】
このような水素水を製造することができる装置として従来公知された技術を詳察すると、特許文献１の電解水素水生成装置、特許文献２の水素水製造装置、特許文献３の電気分解用電極組立体、これを備えた酸素水素発生器およびこれを備えた水素水製造装置、特許文献４の溶存水素水製造装置の技術が公知されている。
【０００５】
しかし、上述したような公知技術は、水素水を製造するための電解槽と流体循環装置のような部品の設置によって体積が比較的大きい上に複雑な構造を有するため、使用者が携帯用として使用するには困難を来たす技術である。
【先行技術文献】
【特許文献】
【０００６】
【特許文献１】韓国公開特許第１０−２０１１−３９６４７号公報
【特許文献２】韓国登録特許第１０７６６３１号公報
【特許文献３】韓国登録特許第９９５７１３号公報
【特許文献４】韓国登録特許第１２５０４７０号公報
【発明の概要】
【発明が解決しようとする課題】
【０００７】
本発明は前記のような点に鑑みてなされたものであって、本発明の目的は、簡単な構造を有して携帯性に優れた水素水製造装置を提供することにある。
【課題を解決するための手段】
【０００８】
このような目的を達成するための、本発明の携帯型水素水製造装置は、上部に置かれて水を収容する容器、前記容器の下部に位置し、前記容器に収容された水を電気分解することにより生成された水素を前記容器に収容された水に溶解させて容器の水を水素水に変換させる水素発生部、前記水素発生部に電源を印加する電源部を備えて構成されることを特徴とする。
【発明の効果】
【０００９】
本発明の携帯型水素水製造装置は、上部の挿入口に通常の水ボトルを位置させたり上部に形成された水ボトルに水を収容したりし、内蔵された水素発生部によって水を電気分解して水を水素水に変換させる構造からなるため、水素水を簡単かつ便利に製造して飲用することができる効果がある。
【００１０】
また、ケースの内部に水素水発生部を一体化させることによって水素水製造装置を小型化させ、携帯性に優れるという長所がある。
【００１１】
なお、蓋に気体だけが流動する薄膜を形成することによって容器に作用する耐圧を減少させ、耐圧による容器外部への漏水を予防することができるという効果がある。
【図面の簡単な説明】
【００１２】
【図１】本発明の第１実施例の携帯型水素水製造装置の斜視図である。
【図２】本発明の第１実施例の携帯型水素水製造装置の内部断面図である。
【図３】本発明の第１実施例の携帯型水素水製造装置の作動状態図である。
【図４】本発明の第１実施例の携帯型水素水製造装置の電源入力状態を示した図である。
【図５】本発明の第２実施例の携帯型水素水製造装置の斜視図である。
【図６】本発明の第２実施例の携帯型水素水製造装置の分解斜視図である。
【図７】本発明の第２実施例の携帯型水素水製造装置の水素発生ユニットの分解斜視図である。
【図８】本発明の第２実施例の携帯型水素水製造装置の作動状態図である。
【発明を実施するための形態】
【００１３】
以下、図面を参照しながら、本発明の携帯型水素水製造装置の構成について説明する。
ただし、開示している図面は、当業者に本発明の思想が十分に伝達するようにする例として提供するものである。したがって、本発明は、以下で提示する図面に限定されるものではなく、他の実施形態によって具体化することもできる。
【００１４】
また、本発明の明細書で使用する用語において、他の定義がない場合には、本発明が属する技術分野における当業者が通常的に理解している意味を有し、後述する説明および添付の図面において本発明の要旨を必要以上に不明瞭にする可能性のある公知機能および構成についての詳細な説明は省略する。
【００１５】
本発明は、上部に置かれて水を収容する容器と、前記容器の下部に位置し、前記容器に収容した水を電気分解することにより生成された水素を前記容器に収容した水に溶解させて容器の水を水素水に変換させる水素発生部と、前記水素発生部に電源を印加する電源部とを備えて構成されることを特徴とする携帯型水素水製造装置である。
【００１６】
具体的に、本発明の水素水製造装置は、水が収容された水ボトルの排出口部分を製造装置に挿入して水ボトルに収容された水を水素水に変換させる第１実施例の携帯型水素水製造装置と、水ボトル形状の外観を有し、下部に内蔵された水素発生ユニットによって水ボトルに収容された水を水素水に変換させる第２実施例の携帯型水素水製造装置によって実現される。
【００１７】
このような本願発明の第１実施例および第２実施例の水素水製造装置により、携帯性に優れた水素水製造装置を提供する。
【００１８】
先ず、図１〜図４を参照しながら、本発明の第１実施例の携帯型水素水製造装置の構成および作動について詳細に説明する。
【００１９】
図１は本発明の第１実施例の水素水製造装置の斜視図であり、図２は本発明の第１実施例の水素水製造装置の内部断面図である。
図１を参照すると、本発明の水素水製造装置１は、円筒状の外観を有し、上部に水ボトルの排出口部分を挿入する挿入口２０が形成され、外周面にスイッチ３０、表示器４０、および電源入力端子５０を設置したケース１０を備える。
【００２０】
前記ケース１０は、軽量かつ耐久性に優れたプラスチック材質であることが好ましく、前記挿入口２０は、市販の通常の水ボトルの排出口（先端口）を挿入できる大きさに製作されることが好ましい。
【００２１】
図２の内部断面図を参照すると、本発明の第１実施例の水素水製造装置１のケース１０上部には、水ボトル１００を逆さまにした状態で排出口１１０部分を挿入する挿入口２０が形成され、挿入口２０の内壁には側壁２１が設置され、側壁２１の下端にパッキン部材２２を敷設することにより、挿入口２０に内挿された水ボトル１００の排出口１１０から流入する水がケース１０に漏水することを防ぐ。
【００２２】
また、ケース１０内部にバッテリ６０が置かれており、前記バッテリ６０の両極は一対の電線６１と結線し、後述する電極部７０の一側電極７１と他側電極７２に電源を印加する。
【００２３】
そして、前記バッテリ６０は、バッテリ６０の電源を取り締まるスイッチ３０と、電源印加の可否を表示する表示器４０およびバッテリ６０を充電させるための外部電源を入力する電源入力端子５０と連結し、約３．５Ｖ〜１２Ｖで１Ａ〜１０Ａの電流が持続して供給されるように構成される。
【００２４】
前記表示器４０は、通常のミニ電球や発光ダイオードランプ（ＬＥＤ）を採用することが好ましい。
【００２５】
一方、図示していないが、前記ケース１０内部には、前記バッテリ６０の電源印加と充電および表示器４０の発光およびスイッチ３０の作動のための周辺回路が実装されており、このような周辺回路は通常の回路を採用すればよいため、詳細な説明は省略する。
【００２６】
また、前記挿入口２０の下端部には電極部７０が設置される。前記電極部７０は、挿入口２０に内挿された水ボトル１００に収容された水を電気分解して水素を生成させる機能を実行するものであって、挿入口２０と対向する側には一側電極７１を配置し、前記一側電極７１の対向面には他側電極７２を配置し、前記一側電極７１と他側電極７２の間には隔膜７３を置く。
【００２７】
前記一側電極７１と前記他側電極７２は、水素の拡散が容易であって許容電流密度が高い一種の触媒電極であり、白金やイリジウムのような貴金属材質を利用することが好ましい。
【００２８】
本発明の実施例では、前記隔膜７３上部の一側電極７１として白金電極を利用し、前記隔膜７３下部の他側電極７２としてイリジウム電極を利用することにより、他側電極７２が正極を形成して一側電極７１が負極を形成する。
【００２９】
また、前記隔膜７３は高分子膜を採用する。これにより、一側電極７１と他側電極７２によって触媒の役割をする電極が水分子を分解させて、水素分子が正極である他側電極７２から隔膜７３を通過して負極である一側電極７１に伝達され、挿入口２０に挿入されている水に上昇移動して水素分子が水に溶解する。
【００３０】
一方、前記ケース１０内部に圧力センサを実装することにより水ボトル１００が内挿された場合の水の量を感知したり、ケース１０内部に傾斜センサを実装することによりケース１０の傾き程度を感知したり、挿入口２０の下部または内周面に水位センサを実装することにより水ボトル１００に収容された水の存在をセンシングするようにもできる。
【００３１】
以下、上述したように構成された本発明第１実施例の携帯型水素水製造装置１の作動について説明する。
【００３２】
図３は、本発明の第１実施例の水素水製造装置の作動状態図である。
図３を参照すると、先ず、本発明の水素水製造装置１のケース１０を平面に置いた状態で、ケース１０上面に形成された挿入口２０に水（Ｗ）が収容された状態の水ボトル１００の排出口（先端口）１１０部分を内挿させる。
【００３３】
このとき、内挿された状態の水ボトル１００の排出口１１０部分が挿入口２０の側壁２１と歯合しながら、水ボトル１００はケース１０の挿入口２０に垂直状態で固定され、側壁２１下端のパッキン部材２２が排出口１１０から水が漏水することを防ぐ。
【００３４】
そして、水ボトル１００に収容された水（Ｗ）は電極部７０の一側電極７１と接触し、使用者がスイッチ３０をＯＮ状態に切り換えると、表示器４０が発光して電源印加状態であることを示し、内蔵されたバッテリ６０の電源は電線６１を通じて一側電極７１と他側電極７２に印加される。
【００３５】
これにより、水ボトル１００に収容された水（Ｗ）は下方に落水し、電極部７０の一側電極７１と他側電極７２を通じて印加された電圧によって水分子が分解される。
【００３６】
このとき、一種の触媒電極の機能を行う一側電極７１と他側電極７２によって水分子が分解されて、水素分子は正極である他側電極７２から高分子材質の隔膜７３を通過して負極である一側電極７１に伝達され、挿入口２０に挿入された水に上昇移動する。
【００３７】
そして、上昇移動する水素分子が水に溶解して、水ボトル１００に収容された水（Ｗ）は高い水素溶存量を有した水素水として生成されるようになる。
【００３８】
本発明者の試験の結果、本発明の実施例の水素水製造装置は、バッテリ６０の入力電圧３．５Ｖ〜１２Ｖおよび入力電流１Ａ〜１０Ａの条件下で、６００ｐｐｂ〜１６００ｐｐｂという高濃度の水素溶存量を有する水素水を製造することができた。
【００３９】
この後、水ボトル１００に収容された水が水素水に変換されるとスイッチ３０をＯＦＦし、挿入口２０から水ボトル１００を脱着させ、収容された水素水を飲用すればよい。
【００４０】
したがって、上述したように作動する本発明の水素水製造装置１は、ケース１０の内部にバッテリ６０が内蔵されているため、外部電源に依存しなくても独立に作動することができ、ケース１０の内部に内蔵された電極部７０によって水素を発生させる小型構造であるため、携帯性に極めて優れている上に使用も容易であるいう長所をもつ。
【００４１】
一方、本発明の第１実施例の水素水製造装置１は、図４に示すように、ケース１０の外周面に敷設された電源入力端子５０に電源連結線８０を結合させ、電源線８１に敷設されたコンセント８２を通常の家庭用電源に連結することによって内蔵されたバッテリ６０を充電することもできる。
【００４２】
また、本発明の第１実施例の水素水製造装置１は、バッテリ６０の充電とは別にケース１０内部に通常の定電圧回路（図示せず）を敷設し、通常の外部常用電源を定電圧回路に供給して必要な電源を印加することもできる。
【００４３】
次に、図５〜図８を参照して、本発明の第２実施例の携帯型水素水製造装置の構成および作動について詳細に説明する。
【００４４】
図５は本発明の第２実施例の携帯型水素水製造装置の斜視図であり、図６は本発明の第２実施例の携帯型水素水製造装置の分解斜視図である。
先ず、図５を参照すると、本発明の第２実施例の水素水製造装置２は、通常の水ボトルのような外観を有して水を収容する容器２００と、前記容器２００の下部に結合し、容器２００に収容された水を水素水に変換させるための水素を生成し、生成された水素を容器２００内部に供給する水素発生部２１０と、前記容器２００の先端口２２０部分を遮蔽する蓋２３０とを備えて構成される。
【００４５】
図６の分解斜視図を参照すると、前記容器２００には下部に連結面２０１が形成され、前記連結面２０１は、前記水素発生部２１０のケースをなすハウジング３００の上端に形成された結合面３１０と歯合する。
【００４６】
そして、容器２００上部の先端口２２０の外周には、前記蓋２３０の内側面と歯合するねじ山２２１が形成される。
【００４７】
前記水素発生部２１０のハウジング３００は、上部および下部がそれぞれ開口したものであって、前記ハウジング３００の上部開口面には前記容器２００の下部を遮蔽する遮断パネル２６０が結合し、前記ハウジング３００の下部開口面には封止板３２０が結合する。
【００４８】
前記遮断パネル２６０は、下側に水素発生ユニット２５０を備えたものであって、水素発生ユニット２５０は、容器２００に収容された水を電気分解することよって水素を発生させ、発生した水素を容器２００内に供給し、容器２００に収容された水を水素溶存量が高い水素水に変換させる。
【００４９】
このために、前記遮断パネル２６０の中央部には、容器２００の水を前記水素発生ユニット２５０に供給するための貫通孔２６２が形成され、貫通孔２６２の内周面に漏水防止用の円形リング２６１が付着しているため、容器２００の水が水素発生ユニット２５０と接触するときに水がハウジング３００内側に漏水することを防ぐ。
【００５０】
また、前記ハウジング３００の下部開口面を遮蔽する封止板３２０上には、前記水素発生ユニット２５０の作動を制御する制御基板３３０が付着され、前記水素発生ユニット２５０と制御基板３３０に電力を印加するバッテリ３４０が装着される。
【００５１】
前記バッテリ３４０の両極は一対の電線３４１に結線し、前記水素発生ユニット２５０の一側電極２５１と他側電極２５２に電源を印加する。
【００５２】
また、図には示していないが、前記バッテリ３４０の電源を取り締まるスイッチ（図示せず）と、電源印加の可否を表示するミニ電球や発光ダイオード（ＬＥＤ）で形成されたランプ（図示せず）を敷設することもできる。
【００５３】
また、前記バッテリ３４０を充電させるための外部電源を連結する電源線３５０が前記制御基板３３０に結線し、前記電源線３５０には電源ジャック３５１が敷設されることにより、通常の外部電源（図示せず）から電源が供給されてバッテリ３４０を充電する。本発明の第２実施例の水素水製造装置２は、約３．５Ｖ〜５Ｖで１Ａ〜１０Ａの電源を印加してバッテリ３４０を充電させる。
【００５４】
そして、前記制御基板３３０には、前記水素発生ユニット２５０に電源を印加する前記バッテリ３４０の充電のための通常の周辺回路を実装する。
【００５５】
一方、説明していない図面符合３２１は、前記封止板３２０上から垂直に突出形成された多数のロッド３２１（ｒｏｄ）であって、前記ロッド３２１の末端が前記水素発生ユニット２５０に付着することによって水素発生ユニット２５０を支持する機能を行う。
【００５６】
図７は、本発明の第２実施例の携帯用水素水製造装置の水素発生ユニットの分解斜視図である。
図７を参照すると、前記水素発生ユニット２５０は、前記容器２００内に収容された水を電気分解して水素を生成するユニットであって、公知された通常の構造からなる。すなわち、前記水素発生ユニット２５０は、隔膜２５３と、前記隔膜２５３の上部に位置した上部電極２５１と前記隔膜２５３の下部に位置した下部電極２５２とで構成され、前記上部電極２５１の上側には上部カバー２５４が締結し、前記下部電極２５２の下部には下部カバー２５５が締結する。
【００５７】
前記上部電極２５１および下部電極２５２には、中央部分に稠密な間隔で形成された多数の気孔２５１ａ、２５２ａが形成される。
【００５８】
また、前記上部電極２５１および下部電極２５２の一側には、電流の入力のための電極端子２５１ｂ、２５２ｂが突出形成され、約３．５Ｖ〜５Ｖの正電圧と負電圧がそれぞれ印加される。
【００５９】
また、図には示していないが、前記上部電極２５１と下部電極２５２の表面には絶縁用パッキン部材（図示せず）が置かれることによって前記上部電極２５１と下部電極２５２の短絡を防ぎ、前記上部電極２５１と下部電極２５２と前記上部カバー２５４と下部カバー２５５はそれぞれ固定ボルト（図示せず）とナット（図示せず）で締結され、隔膜２５３を通過する水の漏出を防ぐ。
【００６０】
前記隔膜２５３は、主にシリコン材質からなる高分子膜を採用することが好ましく、前記上部電極２５１と下部電極２５２によって触媒の役割をする電極が水分子をイオン化分解して発生した水素分子は、正極である下部電極２５２から隔膜２５３を通過して負極である上部電極２５１に伝達されて、前記容器２００内部に収容された水に排出される。
【００６１】
また、上述した第１実施例と同じように、前記上部電極２５１と下部電極２５２は、水素の拡散が容易であり、かつ許容電流密度が高い一種の触媒電極であって、白金やイリジウムのような貴金属材質を利用することが好ましい。
【００６２】
本発明の第２実施例の水素水製造装置は、前記上部電極２５１として白金電極を利用して負極を形成し、前記下部電極２５２としてイリジウム電極を利用して正極を形成する。
【００６３】
したがって、上述したように形成される本発明の水素発生ユニット２５０の上部電極２５１と下部電極２５２に正電圧と負電圧がそれぞれ印加されると、前記容器２００内部に収容された水が電気分解されて水素分子を発生し、発生した水素分子が容器２００内部を流動して、一定時間が経過すると容器２００内部に収容された水が水素水に変換される。
【００６４】
このとき、容器２００内部に一定時間に渡って水素を流動させると、容器２００内部の耐圧が増加し、このような耐圧増加によって容器２００の連結面２０１とハウジング３００の結合面３１０との間に漏水が発生したり、水素発生ユニット２５０を備えた遮断パネル２６０の円形リング２６１の外周面に漏水が発生したりする恐れがある。
【００６５】
このような憂慮を解消するために、本発明の容器２００の先端口２２０を遮蔽する蓋２３０の天井面２３１に所定の直径を有するホール２３２を穿孔し、前記ホール２３２には、液体成分は通過させずに気体成分を通過させる性質を有する薄膜２４０を付着させる。このような気体成分だけの流動が可能な薄膜２４０は、通常の公知部材を利用する。
【００６６】
したがって、上述したように蓋２３０に付着している薄膜２４０によって容器２００の内部に作用する耐圧が減少するため、上述したような容器２００内／外部の漏水現象を予防することができる。
【００６７】
一方、上述したように形成されるハウジング３００の内部に圧力センサを実装することにより容器２００に収容された水の量を感知したり、前記容器２００の内周面に水位センサを実装することにより容器２００に収容された水の存在をセンシングすることもできる。
【００６８】
以下、上述したように構成される本発明の第２実施例の携帯型水素水製造装置２の作動について説明する。図８は、本発明の第２実施例の携帯型水素水製造装置の作動状態図である。
【００６９】
図を参照すると、先ず、本発明の第２実施例の携帯型水素水製造装置２の容器２００の先端口２２０部分に結合した蓋２３０を開け、容器２００の先端口２２０部分から水を注いで容器２００内部に水（Ｗ）を収容した後、蓋２３０を再び先端口２２０部分に結合させる。
【００７０】
そうすると、容器２００内部に収容された水は下方に落水し、容器２００下部を密閉する遮断パネル２６０の貫通孔２６２に排水されて水素発生ユニット２５０と接触する。このとき、貫通孔２６２の内側には円形リング２６１が付着しているため、漏水を防ぐことができる。
【００７１】
このような状態で、使用者がハウジング３００に付着しているスイッチ（図示せず）をＯＮ状態に切り換えると、前記ハウジング３００に内蔵されたバッテリ３４０の電源が電線３４１を通じて前記水素発生ユニット２５０の一側電極２５１と他側電極２５２に印加される。
【００７２】
そうすると、遮断パネル２６０の貫通孔２６２に排水されて水素発生ユニット２５０と接触していた水（Ｗ）が、水素発生ユニット２５０の一側電極２５１と他側電極２５２に印加される電圧によって水分子分解される。
【００７３】
続いて、一種の触媒電極の機能を行う一側電極２５１と他側電極２５２によって水分子がイオン化分解しながら、水素分子は正極である他側電極２５２から高分子材質の隔膜２５３を通過して負極である一側電極２５１に伝達され、貫通孔２６２を通じて接触している水（Ｗ）の内部に上昇移動して気泡（Ｈ２）を形成して水に溶解し、容器２００に収容された水（Ｗ）が高い水素溶存量を有する水素水として生成される。
【００７４】
このとき、前記容器２００内部に水素が進入して容器２００の耐圧が増加するが、増加した耐圧を形成する気体は蓋２３０の薄膜２４０を通じて容器２００の外部に排出されるため、容器２００の内部に作用する耐圧は自然に減少し、上述したような容器２００内／外部の漏水現象を予防することができる。
【００７５】
本発明者の試験の結果、本発明の第２実施例の水素水製造装置は、バッテリ３４０の入力電圧３．５Ｖ〜５Ｖおよび入力電流１Ａ〜１０Ａの条件下で、６００ｐｐｂ〜１６００ｐｐｂの高濃度の水素溶存量を有する水素水を製造することができた。
【００７６】
この後、容器２００に収容された水が水素水に変換すると、スイッチ（図示せず）をＯＦＦさせて容器２００の蓋２３０を開け、先端口２２０を通じて水素水を飲用すればよい。
【００７７】
したがって、上述したように作動する本発明の第２実施例の携帯用水素水製造装置２は、ハウジング３００の内部にバッテリ３４０が内蔵されているため、外部電源に依存しなくても独立的に作動するだけでなく、ハウジング３００の内部に内蔵された水素発生ユニット２５０によって簡単に水素水を製造することができる長所を有する。
【００７８】
このような本発明の第２実施例の水素水製造装置２は、前記制御基板３３０に連結する電源線３５０の電源ジャック３５１を通常の外部電源（図示せず）と連結して内蔵されたバッテリ３４０を充電することにより、繰り返して使用することができる。
【００７９】
また、本発明の第２実施例の水素水製造装置２は、バッテリ３４０の充電とは別にハウジング３００の内部に通常の定電圧回路（図示せず）を敷設することによって通常の外部常用電源を定電圧回路に供給して、必要な電源を印加して使用することもできる。
【産業上の利用可能性】
【００８０】
本発明は、携帯型水素水製造装置の分野に適用できる。
【符号の説明】
【００８１】
１  本発明の第１実施例の携帯型水素水製造装置
２  本発明の第２実施例の携帯型水素水製造装置
１０  ケース
２０  挿入口
３０  スイッチ
４０  表示器
５０  電源入力端子
６０  バッテリ
７０  電極部
８０  電源連結線
８１  電源線
８２  コンセント
１００  水ボトル
１１０  排出口
２００  容器
２０１  連結面
２１０  水素発生部
２２０  先端口
２２１  ねじ山
２３０  蓋
２３１  天井面
２３２  ホール
２４０  薄膜
２５０  水素発生ユニット
２６０  遮断パネル
２６１  円形リング
２６２  貫通孔
３００  ハウジング
３１０  結合面
３２０  封止板
３２１  ロッド
３３０  制御基板
３４０  バッテリ
３５０  電源線
３５１  電源ジャック
Ｗ  水
Ｈ２  水素
【図１】
0005944538.tif 000002
【図２】
0005944538.tif 000003
【図３】
0005944538.tif 000004
【図４】
0005944538.tif 000005
【図５】
0005944538.tif 000006
【図６】
0005944538.tif 000007
【図７】
0005944538.tif 000008
【図８】
0005944538.tif 000009